(57)【特許請求の範囲】
【請求項１】
複数個のビットを収納保持するビットホルダと、短寸長の第１軸部とこれに略直角に一体的に連結する長寸の第２軸部と、前記第１軸部と前記第２軸部の端部に一体的に設けられているビット保持穴部と前記第１及び第２軸部を被包する柔軟体とを有するＬ型ハンドルとからなり、使用時において前記第１軸部及び第２軸部の第１軸部側の一部に前記ビットホルダを着脱可能に係着保持してなるビットホルダ付きＬ型グリップハンドルであって、前記ビットホルダは、外面に前記ビットを着脱可能に収納保持する溝部を形成すると共に内部に前記第１軸部と第２軸部の先端側の一部を着脱可能に、かつ移動可能に収納保持すべく開口形成されるＬ型通路を有するものからなり、前記Ｌ型ハンドルの前記柔軟体には滑り止め部が外面に形成されることを特徴とするビットホルダ付きＬ型グリップハンドル。
【請求項２】
前記ビットホルダの前記Ｌ型通路の入口側の開口孔は前記Ｌ型ハンドルの前記第１軸部と前記第２軸部の連結部の最厚幅部が通過可能の孔寸法を有するものからなり、この開口孔と前記Ｌ型通路の入口側には前記Ｌ型ハンドルの抜け出しを防止及びグリップの強度を上げるためストッパ部が形成されることを特徴とする請求項１に記載のビットホルダ付きＬ型グリップハンドル。
【発明の詳細な説明】
【技術分野】
【０００１】
本発明は、手動によりビットを用いて対象物のねじ締めを行うためのＬ型グリップハンドルであって、前記ビットを収納するビットホルダが手廻しを行うＬ型ハンドルに着脱可能に係着保持され、各種寸法，形状のねじのねじ締めが効率的にでき、取扱性もよいビットホルダ付きＬ型グリップハンドルに関する。
【背景技術】
【０００２】
対象物のねじ締めを行うにはビットが使用される場合が多く、所望寸法のビットはＬ型グリップハンドルのビット保持穴部に挿着され、ねじ締めにはＬ型グリップハンドルを把持して手廻しで行われる場合が多い。
一方、対象物のねじ締め箇所には各種サイズや形状のねじ部があり、それに対応したビットをその都度Ｌ型グリップハンドルに挿着する必要がある。この場合、ビットが別々の場所に保管されている場合には必要とするビットを保管場所から持ち出す必要があり極めて不便であり、非効率的である問題点がある。
この解決手段として各種の寸法のビットをＬ型グリップハンドルと一体的に保持する手段が望まれ、この種の従来技術の１つとして「特許文献１」が挙げられる。
【先行技術文献】
【特許文献】
【０００３】
【特許文献１】特許公表２０１０−５２６６７５号（図１）  また、「特許文献」ではないが非公知技術の発明の１つとして図６（ａ），（ｂ）に示すものが挙げられる。
【０００４】
【非特許文献１】図６（ａ），（ｂ）に示す。
【発明の概要】
【発明が解決しようとする課題】
【０００５】
「特許文献１」の「特許公表２０１０−５２６６７５号」の「複数のビット収納付き手工具及びこれを用いた方法」は、ビットを保持するビットインターフェース（１０５）及びスラム部（１０４）とを有する本体部（１０３）と、手工具（１０１）と、このスラム部（１０４）に着脱可能に係着する取付具（１０８）を有するビット収納機構（１０２）とからなり、ビット収納機構（１０２）には複数個のビットを収納する収納工具フレームキャップ（１１４）が着脱可能に収納されている。このビット収納機構（１０２）は手工具（１０１）とほぼ同じ軸長を有するものであり、このビット収納機構（１０２）を保持した状態では手工具（１０１）のねじ廻しがやりにくい。よって、手廻し時には手工具（１０１）からビット収納機構（１０２）を取り外し、ビット収納機構（１０２）内の所望のビットを手工具（１０１）のビットインタフェース（１０５）に挿着してねじ締め作業を行うことになり、極めて非効率的である。
【０００６】
一方、図６に示した未公知のＬ型グリップハンドル（２００）は、Ｌ型ハンドル（２０１）と、これに着脱可能に係着するビットホルダ（２０２）を組み合せたものからなる。この場合には必要なビットをビットホルダ（２０２）から取り出してＬ型ハンドル（２０１）に挿着すればよく、ビットホルダ（２０２）とＬ型ハンドル（２０１）が合体しているためビットの挿脱や交換は容易である。しかしながら、ねじ廻し時にはＬ型ハンドル（２０１）の部分を把持するものではなく、むしろビットホルダ（２０２）を把持してねじ廻しを行うか、又はビットホルダ（２０２）をＬ型ハンドル（２０１）から取り外してＬ型ハンドル（２０１）のみでねじ廻しを行うことになり、このものも非効率的であり、取扱性もよくない問題点がある。
【０００７】
以上のように、従来技術のものは各種の問題があり、効率的で取扱性のよい特長を有するＬ型グリップハンドルが要請されていた。
【０００８】
本発明は、以上の要請に鑑みて発明されたものであり、複数個のビット（形状の相異するものでもよい）を保持するビットホルダをＬ型ハンドルの先端側にのみ着脱可能に保持し、使用時にはビットホルダ内の所望のビットをＬ型ハンドルのビット保持穴部に挿着し、Ｌ型ハンドルの把持部を把持してねじ廻しを行うものからなり、ねじ廻しが効率的にでき、取扱性も極めて良好であり、Ｌ型ハンドルには滑り止めを形成する柔軟体が設けられ、ねじ廻し時に力を入れることができ、確実なねじ廻しができるビットホルダ付きＬ型グリップハンドルを提供することを目的とする。また、ビットホルダにはＬ型ハンドルの挿脱や移動が容易にできるＬ型通路やストッパが設けられ、Ｌ型ハンドルの挿脱作業やその抜け出し防止ができる特徴を有するビットホルダ付きＬ型グリップハンドルを提供することを目的とする。
【課題を解決するための手段】
【０００９】  本発明は、以上の目的を達成するために請求項１の発明は、複数個のビットを収納保持するビットホルダと、短寸長の第１軸部とこれに略直角に一体的に連結する長寸の第２軸部と、前記第１軸部と前記第２軸部の端部に一体的に設けられているビット保持穴部と前記第１及び第２軸部を被包する柔軟体とを有するＬ型ハンドルとからなり、使用時において前記第１軸部及び第２軸部の第１軸部側の一部に前記ビットホルダを着脱可能に係着保持してなるビットホルダ付きＬ型グリップハンドルであって、前記ビットホルダは、外面に前記ビットを着脱可能に収納保持する溝部を形成すると共に内部に前記第１軸部と第２軸部の先端側の一部を着脱可能に、かつ移動可能に収納保持すべく開口形成されるＬ型通路を有するものからなり、前記Ｌ型ハンドルの前記柔軟体には滑り止め部が外面に形成されることを特徴とする。【００１０】
また、請求項２の発明は、前記ビットホルダの前記Ｌ型通路の入口側の開口孔は前記Ｌ型ハンドルの前記第１軸部と前記第２軸部の連結部の最厚幅部が通過可能の孔寸法を有するものからなり、この開口孔と前記Ｌ型通路の入口側には前記Ｌ型ハンドルの抜け出しを防止及びグリップの強度を上げるためストッパ部が形成されることを特徴とする。
【発明の効果】
【００１１】
本発明の請求項１のビットホルダ付きＬ型グリップハンドルによれば、複数個のビットを挿脱可能に収納するビットホルダがＬ型ハンドルの先端側に着脱可能に係着保持され、ビットの交換が容易にでき、使用時におけるねじ廻しはＬ型ハンドルのみを把持すればよく、また、Ｌ型ハンドルには滑り止めを形成する柔軟部が設けられているため、力の入ったねじ廻しができねじ廻しの効率の向上を図ることができる。また、ビットホルダとＬ型ハンドルが常に合体構造のため取扱性の向上を図ることがきる。また、ビットホルダにはＬ型通路が形成されＬ型ハンドルの挿脱や係着が容易に、かつ確実に出来る効果が上げられる。
【００１２】
また、本発明の請求項２のビットホルダ付きＬ型グリップハンドルによれば、Ｌ型ハンドルの挿脱の容易にできる開口孔とストッパが設けられ、Ｌ型ハンドルの挿脱の容易化とビットホルダの抜け出しを確実に防止することができる。
【図面の簡単な説明】
【００１３】
【図１】本発明のビットホルダ付きＬ型グリップハンドルの全体構造を示す正面図（ａ），上面図（ｂ），底面図（ｃ），右側面図（ｄ），左側面図（ｅ）。
【図２】本発明のビットホルダの全体構造を示す正面図（ａ），底面図（ｂ），上面図（ｃ），左側面図（ｄ），右側面図（ｅ）。
【図３】本発明のＬ型ハンドルの全体構造を示す正面図（ａ），上面図（ｂ）及びビット保持穴部を示す部分背面図（ｃ）。
【図４】ビットの正面図。
【図５】本発明におけるＬ型ハンドルとビットホルダとの合体途中の状態を示す正面図。
【図６】非特許文献のＬ型グリップハンドルを示す斜視図。
【発明を実施するための形態】
【００１４】
以下、本発明のビットホルダ付きＬ型グリップハンドルの実施の形態を図面を参照して詳述する。
図１の（ａ），（ｂ），（ｃ），（ｄ），（ｅ）は本発明のビットホルダ付きＬ型グリップハンドル１００の全体構造を説明するための図面である。
【００１５】
図１（ａ），（ｂ）に示すように、本発明のビットホルダ付きＬ型グリップハンドル１００は大別してビットホルダ１とＬ型ハンドル２とを合体したものからなる。
また、Ｌ型ハンドル２の両端には図１（ｃ）に示すようにビット保持穴部３が設けられている。
また、図１（ａ），（ｂ），（ｅ）に主に示されているように、ビットホルダ１には複数本のビット４が収納保持されている。このビット４は同一形状のものでもよいが、例えば、図１（ｅ）に示すようにねじ廻し部４ａ（図４に示す）の形状が異なるものでもよい。
【００１６】
図２（ａ），（ｂ），（ｃ）はビットホルダ１の構造を説明するための図面である。ビットホルダ１は本実施例では略Ｌ型形状のプラスチック材からなり、その外面にはビット４を収納保持するための行き止り状の溝部５が複数個一体的に形成されている。この溝部５はビット４の軸部４ｂが挿着保持される半六角形状のものからなる。また、内面側にはＬ型通路６が開口形成されている。このＬ型通路６は入口側と出口側において開口形成され入口側の開口孔７は略グラント形状のものからなり、出口側の開口孔８は長孔状のものからなる。また、開口孔７の長手方向の寸法は後に説明するＬ型ハンドル２の第１軸部２ａと第２軸部２ｂとの連結部の長厚幅部２ｃの寸法（ｍ）よりもやや大寸のものからなる。また、入口側の開口孔７とＬ型通路６との入口側にはストッパ部９が形成される。また、ビットホルダ１を力強く締めると開口部からよじれ変形が起きるのを防止するためストッパ部９が設けられている。
【００１７】
図３（ａ），（ｂ），（ｃ）はＬ型ハンドル２の全体構造を説明するための図面である。このＬ型ハンドル２は第１軸部２ａとこれに略直角に先端側を一体的に連結する第２軸部２ｂとからなる一本の剛質の棒体からなり、第１軸部２ａの先端及び第２軸部２ｂの後端にはビット４を挿着保持するビット保持穴部３ａ，３ｂが一体的に形成されている。なお、第１軸部２ａと第２軸部２ｂは全体として柔軟（例えば、ゴム質）の柔軟体１０により被包されている。また、この柔軟体９には図３（ａ），（ｂ）に示すように滑り止め部１１が一体的に形成されている。なお、このＬ型ハンドル２の使用時には滑り止め部１１の位置を手で把握してねじ締めを行うことになる。
【００１８】
図４はビットホルダ１に挿着保持されるビット４の一例を示すものである。ビット４はねじ廻し部４ａを先端側に形成しこれに一体的に連結される軸部４ｂとからなり、軸部４ｂは六角形状のものからなり、前記したビットホルダ１の溝部５に挿着保持される形状のものからなる。
【００１９】
図５はＬ型ハンドル２をビットホルダ１に合体するためのやり方を説明するための図面である。Ｌ型ハンドル２の第１軸部２ａの部分を示すビットホルダ１の入口側の開口孔７に入れて第１軸部２ａをＬ型通路６に沿って挿入し、第１軸部２ａと第２軸部２ｂとの連結部の最厚幅部２ｃを入口側の開口孔７内を通り抜けさせて第２軸部２ｂの先端側の一部をＬ型通路６内に挿入する。その後、第１軸部２ａの先端側のビット保持穴部３をＬ型通路６の出口側の長孔状の開口孔８から覗かせる。Ｌ型ハンドル１はＬ型に形成されているため第１軸部２ａ及び第２軸部２ｂの先端側の一部はＬ型通路６内に収納されると共にＬ型通路６の出口側の開口孔８の長孔形状の分だけ前後に移動可能な状態でＬ型通路６内に収納される。但し、ストッパ部９がＬ型通路６の入口側には形成されているためＬ型ハンドル２はストッパ部９により抜け出しが防止される。
【００２０】
本発明は、以上のようにして合体されたものからなり、図１（ａ），（ｂ）等に示す形態のもので使用される。
対象物のねじ廻しを行うには、所望のビット４をビットホルダ１より取り出し、これをＬ型ハンドル２のビット保持穴部３ａ及び／又は３ｂに装着し、Ｌ型ハンドル２の第２軸部２ｂの部分を手で把持してねじ廻しを行うことになる。この場合、第２軸部２ｂはビットホルダ２から長く飛び出しており柔軟体１０には滑り止め部１１が形成されているためねじ廻り時にはＬ型ハンドル２と手の間の滑りがなく、大きな力でねじ締めを行うことができる。
【００２１】
また、前記のように、ビットホルダ１はＬ型ハンドル２と一体的に合体しているため必要なビット４は合体されているビットホルダ１から引き出しすればよく、極めて効率的に行われる。また、ビットホルダ１とＬ型ハンドル２とは同時に持ち運びできるため取扱が容易であり、取扱性の向上が図られる。
【００２２】
本発明のビットホルダ付きＬ型グリップハンドルの内容は以上の説明の内容からなるが、ビットホルダ付きＬ型グリップハンドルは以上の内容に限定されるものではなく、第一技術的範疇のものが適用されることは勿論である。
【産業上の利用可能性】
【００２３】
本発明のビットホルダ付きＬ型グリップハンドルはビットを使用する手動工具のすべてに適用可能であり、その利用範囲は極めて広い。
【符号の説明】
【００２４】
１      ビットホルダ
２      Ｌ型ハンドル
２ａ    第１軸部
２ｂ    第２軸部
２ｃ    最厚幅部（ｍ）
３      ビット保持穴部
４      ビット
４ａ    ねじ廻し部
４ｂ    軸部
５      溝部
６      Ｌ型通路
７      開口孔
８      開口孔
９      ストッパ部
１０    柔軟体
１１    滑り止め部
１００  ビットホルダ付きＬ型グリップハンドル
【図１】
0005787145.tif 000002
【図２】
0005787145.tif 000003
【図３】
0005787145.tif 000004
【図４】
0005787145.tif 000005
【図５】
0005787145.tif 000006
【図６】
0005787145.tif 000007